(57)【要約】      （修正有）【課題】衝立本体内に、単一枚の両面又は片面に２以上複数枚の装飾装着体を、着脱自在に装着、収容できるように構成し、衝立の表裏両面から装飾部を視認可能とし、さらに２以上複数枚の装飾装着体の装飾面を適宜入れ替えることで、装飾表現態様の多様化を図ることができる衝立を提供する。【解決手段】衝立は、支脚部により水平に支持した基台と、下枠部５、一対の側枠部６Ａ、６Ｂ及び上枠部７により中空枠形態に枠組みされ基台上に起立支持した枠体と、この枠体の上部に配置した上台と、枠体の表面、裏面間の領域に装飾装着体収容領域１０Ａを形成するように並列に装着した一対の透明板部９ａ、９ｂとを具備する衝立本体と、衝立本体内に、単一枚の両面又は片面に例えば日本画等の絵画或いは写真やその他諸種の装飾を施した２以上複数枚の装飾装着体を、着脱自在に装着、収容できるように構成する。【選択図】図１１
0003188659.tif 000002
【実用新案登録請求の範囲】
【請求項１】
中空枠形態の衝立本体と、
衝立本体の中空領域に配置されるとともに、基材の表裏両面に装飾部を具備し、前記衝立本体の表裏両面外側から前記各装飾部を各々視認できるようにした装飾装着体と、
を有することを特徴とする衝立。
【請求項２】
支脚部により水平に支持した基台と、下枠部、一対の側枠部及び上枠部により中空枠形態に枠組みされ前記基台上に起立支持した枠体と、この枠体の上部に配置した上台と、前記枠体の表面、裏面間の領域に装飾装着体収容領域を形成するように並列に装着した一対の透明板部と、を具備する衝立本体と、
前記装飾装着体収容領域に配置されるとともに、基材の表裏両面に装飾部を具備し、前記枠体の表裏両面外側から各透明板部を透視して前記各装飾部を各々視認できるようにした装飾装着体と、
を有することを特徴とする衝立。
【請求項３】
前記一対の側枠部の一方又は双方の端面部には、前記側枠部により開閉可能に支持されて、前記装飾装着体収容領域の一方又は双方の側端部を開口又は閉塞する開閉蓋体が設けられていることを特徴とする請求項２記載の衝立。
【請求項４】
前記一対の側枠部の一方又は双方の端面部には、前記側枠部により開閉可能に支持されて、前記装飾装着体収容領域の一方又は双方の側端部を開口又は閉塞する開閉蓋体と、この開閉蓋体を前記側枠部に係止し又は係止解除を行う開閉蓋体開閉機構部が設けられていることを特徴とする請求項２記載の衝立。
【請求項５】
前記装飾装着体収容領域に臨む下枠部の上面側、上枠部の下面側には、前記装飾装着体の挿入、引き出し用の凹溝が設けられていることを特徴とする請求項２乃至４のいずれかに記載の衝立。
【請求項６】
前記装飾装着体の基材の表裏両面の各装飾部は、絵画、彫刻、写真、全面金色、全面銀色から選定されることを特徴とする請求項１乃至５のいずれかに記載の衝立。
【請求項７】
前記衝立本体は、木製であって、この木製部分は、光沢有り又は光沢無しの仕様としたことを特徴とする請求項１乃至６のいずれかに記載の衝立。
【請求項８】
中空枠形態の衝立本体と、
衝立本体の中空領域に、２以上複数枚を並列状態に、かつ、着脱自在に入れ替えて収容可能に配置されるとともに、前記衝立本体の表裏両面外側から最も表側の装飾部、最も裏側の装飾部を各々視認できるようにした各装飾装着体と、
を有することを特徴とし、
前記衝立本体の中空領域に収容されている２以上複数枚の装飾装着体の装飾面を適宜入れ替えることで、装飾表現態様の多様化を図ることができるようにした衝立。
【請求項９】
支脚部により水平に支持した基台と、下枠部、一対の側枠部及び上枠部により中空枠形態に枠組みされ前記基台上に起立支持した枠体と、この枠体の上部に配置した上台と、前記枠体の表面、裏面間の領域に、２以上複数枚並列状態に、かつ、着脱自在に入れ替えて収容可能な装飾装着体収容領域を形成するように並列に装着した一対の透明板部と、を具備する衝立本体と、
前記装飾装着体収容領域に、２以上複数枚を並列状態に、かつ、着脱自在に入れ替えて収容可能に配置されるとともに、前記衝立本体の表裏両面外側から最も表側の装飾部、最も裏側の装飾部を各々視認できるようにした各装飾装着体と、
を有することを特徴とし、
前記衝立本体の中空領域に収容されている２以上複数枚の装飾装着体の装飾面を適宜入れ替えることで、装飾表現態様の多様化を図ることができるようにした衝立。
【請求項１０】
前記一対の側枠部の一方又は双方の端面部には、前記側枠部により開閉可能に支持されて、前記２以上複数枚を並列状態に収容可能な装飾装着体収容領域の一方又は双方の側端部を開口又は閉塞する開閉蓋体が設けられていることを特徴とする請求項９記載の衝立。
【請求項１１】
前記一対の側枠部の一方又は双方の端面部には、前記側枠部により開閉可能に支持されて、前記２以上複数枚を並列状態に収容可能な装飾装着体収容領域の一方又は双方の側端部を開口又は閉塞する開閉蓋体と、この開閉蓋体を前記側枠部に係止し又は係止解除を行う開閉蓋体開閉機構部が設けられていることを特徴とする請求項９記載の衝立。
【請求項１２】
前記２以上複数枚を並列状態に収容できるようにした装飾装着体収容領域に臨む下枠部の上面側と、上枠部の下面側には、前記収容される装飾装着体の枚数に応じた装飾装着体の挿入、引き出し用の複数の凹溝が並列に設けられていることを特徴とする請求項９乃至１１のいずれかに記載の衝立。
【請求項１３】
前記２以上複数枚の各装飾装着体における表裏両面の装飾部は、絵画、彫刻、写真、金色部、銀色部から選定されることを特徴とする請求項８乃至１２のいずれかに記載の衝立。
【請求項１４】
前記２以上複数枚の各装飾装着体の内のいずれかの１枚の装飾装着体における表裏いずれかの面の装飾部を、全面金色又は全面銀色の装飾態様としたことを特徴とする請求項８乃至１３のいずれかに記載の衝立。
【請求項１５】
前記衝立本体は、木製であって、この木製部分は、光沢有り又は光沢無しの仕様としたことを特徴とする請求項８乃至１４のいずれかに記載の衝立。
【考案の詳細な説明】
【技術分野】
【０００１】
本考案は、新規、斬新な衝立に関し、詳しくは、衝立本体内に、単一枚の両面又は片面に例えば日本画等の絵画或いは写真やその他諸種の装飾を施した２以上複数枚の装飾装着体を、着脱自在に装着、収容できるように構成し、衝立の表裏両面から装飾部を視認することができるようにしたとともに、衝立本体内に装着、収容されている２以上複数枚の装飾装着体の装飾面を適宜入れ替えることで、装飾表現態様の多様化を広範に図ることができるようにした新規、斬新な衝立に関するものである。
【背景技術】
【０００２】
従来の木製で和風の衝立は、例えば一般住宅、飲食店、旅館等の建物入口部分や玄関先に置かれることが多いが、このような衝立の場合、通常、その表面に、単一枚の絵画等の装飾体が表れるように構成してあり、裏面側は単なる板材等が取り付けてあるのみで、格別の装飾等が施されていないのが通常である。
【０００３】
従って、外から訪れた外来者、来客等は当該衝立の表面に絵画等の装飾体を鑑賞するだけのものであり、空間の単なる間仕切り用途をはじめとして限られた装飾表現用途を有するのみのものである。
特許文献１には、左右の縦枠との間に配置した左右横長の木製板と、上下に隣り合った木製板の間の空間に配置した積層体とを備え、この積層体を、表裏の透光保護材と、その間に挟み保持された和紙等からなる美粧材とで構成した主として間仕切りとして用いられる衝立装置が開示されている。
【０００４】
この特許文献１の衝立装置の場合、和紙等からなる美粧材を表裏から鑑賞できるものではあるが、全体して薄型で空間の単なる間仕切り用途には適すると考えられるものの、重厚感、高級感には乏しく、装飾表現態様の多様化を図るようなことは全く不可能な構成のものである。
【先行技術文献】
【特許文献】
【０００５】
【特許文献１】登録実用新案第３１８５１１７号公報
【考案の概要】
【考案が解決しようとする課題】
【０００６】
本考案が解決しようとする問題点は、衝立の表裏両面から装飾部を視認することができるようにしたとともに、衝立本体内に装着、収容されている２以上複数枚の装飾装着体の装飾面を適宜入れ替えることで、装飾表現態様の多様化を広範に図ることができるとともに、一般住宅、飲食店、旅館等の建物入口部分や玄関先等に設置した場合に、重厚感、高級感をも現出することができるような木製の衝立が存在しない点である。
【課題を解決するための手段】
【０００７】
本考案に係る衝立は、中空枠形態で例えば木製等の衝立本体と、衝立本体の中空領域に配置され、単一枚の両面又は片面に例えば日本画等の絵画或いは写真やその他諸種の装飾を施した２以上複数枚の装飾装着体と、を具備し、当該装飾装着体を、衝立本体に着脱自在に装着、収容できるように構成し、衝立の表裏両面から装飾部を視認することができるようにしたとともに、衝立本体内に装着、収容されている２以上複数枚の装飾装着体の装飾面を適宜入れ替えることで、装飾表現態様の多様化を広範に図ることができるようにした新規、斬新な衝立として構成したことを最も主要な特徴とする。
【考案の効果】
【０００８】
請求項１、２記載の考案によれば、従来の一般的な衝立と比べて、衝立の両面から視認できるという装飾表現態様の多様化を図ることができる新規、斬新な衝立を実現し提供できる。
【０００９】
請求項３、４記載の考案によれば、装飾装着体収容領域の一方又は双方の側端部に、開口又は閉塞する開閉蓋体が設けられて構成された請求項１又は２記載の考案の効果を奏する衝立を実現し提供することができる。
【００１０】
請求項５記載の考案によれば、請求項２記載の考案の効果を奏するとともに、装飾装着体収容領域に臨む下枠部の上面側、上枠部の下面側には、装飾装着体の挿入、引き出し用の凹溝が設けられているので、上述した装飾装着体の装飾装着体収容領域に対する出し入れや、装飾装着体の入れ替えを行う場合にも、装飾装着体の移動を円滑に行うことができるとともに、装飾装着体を上部連結体、下部連結体により安定して起立支持することができる衝立を実現し提供することができる。
【００１１】
請求項６記載の考案によれば、請求項１乃至５のいずれかの考案の効果を奏するとともに、装飾装着体の基材の表裏両面の各装飾部は、絵画、彫刻、写真、全面金色、全面銀色から選定される構成としているので、四季（春夏秋冬）の変化等に応じて、異なる装飾装着体を用意し、入り替え使用することもでき、装飾表現態様の多様化を図ることができる衝立を実現し提供できる。
【００１２】
請求項７記載の考案によれば、請求項１乃至６のいずれかの考案の効果を奏するとともに、衝立本体の木製部分における外部に表出する部分は、例えば高品質の塗装等により黒色で光沢有り又は光沢無しの仕様、こげ茶色で光沢有り又は光沢無しの仕様としているので、観者に重厚感、高級感を与えることができる衝立を実現し提供することができる。
【００１３】
請求項８、９記載の考案によれば、衝立内に２以上複数枚の装飾装着体を収容し、これらを適宜入れ替えることで装飾表現態様の多様化を広範に図ることが可能な衝立を実現し提供することができる。
【００１４】
請求項１０、１１記載の考案によれば、装飾装着体収容領域の一方又は双方の側端部に、開口又は閉塞する開閉蓋体が設けられて構成された請求項８又は９記載の考案の効果を奏する衝立を実現し提供することができる。
【００１５】
請求項１２記載の考案によれば、請求項９乃至１１のいずれかに記載の考案の効果を奏するとともに、複数枚の装飾装着体の挿入、引き出し用の複数の凹溝が並列に設けられているので、複数枚の装飾装着体の出し入れや、前後交換を行う場合にも、これらの移動を円滑に行うことができ、かつ、複数枚の装飾装着体を各々安定して起立支持することができる衝立を実現し提供することができる。
【００１６】
請求項１３記載の考案によれば、請求項８乃至１２のいずれかに記載の考案の効果を奏するとともに、各装飾装着体における基材の表裏両面の各装飾部は、絵画、彫刻、写真、全面金色、全面銀色から選定される構成としているので、装飾表現態様の多様化を極めて広範に図ることができる衝立を実現し提供できる。
【００１７】
請求項１４記載の考案によれば、請求項８乃至１３のいずれかに記載の考案の効果を奏するとともに、前記２以上複数枚の各装飾装着体の内のいずれかの１枚の装飾装着体における表裏いずれかの面の装飾部を、全面金色又は全面銀色の装飾態様としたので、四季（春夏秋冬）の変化等に応じて、又は設置個所の雰囲気等に対応して装飾表現態様の多様化を広範に図ることができる衝立を実現し提供できる。
【００１８】
請求項１５記載の考案によれば、請求項８乃至１４のいずれかに記載の考案の効果を奏するとともに、前記請求項７記載の考案と同様に、観者に重厚感、高級感を与えることができる衝立を実現し提供することができる。
【図面の簡単な説明】
【００１９】
【図１】図１は本考案の実施例１に係る衝立の表面図である。
【図２】図２は本実施例１に係る衝立の裏面図である。
【図３】図３は本実施例１に係る衝立の側面図である。
【図４】図４は本実施例１に係る衝立の枠体を示す斜視図である。
【図５】図５は本実施例１に係る衝立における開閉蓋体開閉機構部を示す部分拡大断面図である。
【図６】図６は本実施例１に係る衝立における開閉蓋体開閉機構部（開閉蓋体開状態）を示す部分拡大表面図である。
【図７】図７は本実施例１に係る衝立における装飾装着体の基材の表面、裏面に設けた各装飾部を示す説明図である。
【図８】図８は本考案の実施例２に係る衝立の表面図である。
【図９】図９は本実施例２に係る衝立の裏面図である。
【図１０】図１０は本実施例２に係る衝立の側面図である。
【図１１】図１１は本実施例２に係る衝立の枠体を示す斜視図である。
【図１２】図１２は本実施例２に係る衝立の第１の装飾装着体を表面側配置した状態の表面、裏面を示す説明図である。
【図１３】図１３は本実施例２に係る衝立の第２の装飾装着体を表面側配置した状態の表面、裏面を示す説明図である。
【図１４】図１４は本実施例２に係る衝立における第１の装飾装着体の基材の表面、裏面に設けた各装飾部を示す説明図である。
【図１５】図１５は本実施例２に係る衝立における第２の装飾装着体の基材の表面、裏面に設けた各装飾部を示す説明図である。
【考案を実施するための形態】
【００２０】
本考案は、衝立の表裏両面から装飾部を視認することができるようにしたとともに、衝立本体内に装着、収容されている２以上複数枚の装飾装着体の装飾面を適宜入れ替えることで、装飾表現態様の多様化を広範に図ることができるとともに、一般住宅、飲食店、旅館等の建物入口部分や玄関先等に設置した場合に、重厚感、高級感をも現出することができる衝立を実現し提供するという目的を、支脚部により水平に支持した基台と、下枠部、一対の側枠部及び上枠部により中空枠形態に枠組みされ前記基台上に起立支持した枠体と、この枠体の上部に配置した上台と、前記枠体の表面、裏面間の領域に装飾装着体収容領域を形成するように並列に装着した一対の透明板部と、を具備する例えば木製の衝立本体と、前記装飾装着体収容領域に配置されるとともに、基材の表裏両面に装飾部を具備し、前記枠体の表裏両面外側から各透明板部を透視して前記各装飾部を各々視認可能な装飾装着体と、を有してなるとともに、単一枚の両面又は片面に例えば日本画等の絵画或いは写真やその他諸種の装飾を施した２以上複数枚の前記装飾装着体を、衝立本体に、着脱自在に装着、収容できるように構成したことにより実現した。
【実施例】
【００２１】
以下、本考案の実施例に係る新規、斬新な衝立について、図面を参照して詳細に説明する。
（実施例１）
図１乃至図７を参照して本考案の実施例１に係る衝立１について説明する。
【００２２】
本実施例１に係る衝立１は、図１乃至図４に示すように、一対の支脚部２、２により水平に支持した横長直方体状の基台３と、下枠部５、一対の側枠部６Ａ、６Ｂ及び上枠部７により全体として横長直方体状で、かつ、表面又は裏面から見て四角形状（全体としては中空直方体状）を呈する中空枠形態で、かつ、表側中央部、裏側中央部に四角形状の開口１７を有する状態に枠組みされ、前記基台３に一体的に取り付けられるとともに垂直配置に起立支持された枠体４と、この枠体４の上部に一体的に配置した横長直方体状の上台８と、前記枠体４の表面、裏面間の領域に装飾装着体収容領域１０を形成するように並列に装着した一対の透明板部９ａ、９ｂと、を具備する例えば木製等々からなる衝立本体１１と、前記衝立本体１１における装飾装着体収容領域１０に配置されるとともに、例えば四角板状の基材２１の表裏両面に装飾部２２ａ、２２ｂを具備し、前記枠体４の表面外側、裏面外側から各透明板部９ａ、９ｂを透視して前記各装飾部２２ａ、２２ｂを各々視認可能な装飾装着体２０と、を有している。
前記例えば四角板状の基材２１の表裏両面に具備される装飾部２２ａ、２２ｂは、これが単一枚の表裏両面か、又は２以上の複数枚を重ね合わせた表裏各外側における２枚の各外側面かを問わないが、図示例では、単一枚の表裏両面としての装飾部２２ａ、２２ｂを示している。
【００２３】
前記衝立本体１１の木製部分における外部に表出する部分は、例えば高品質の塗装等により黒色で光沢有り又は光沢無しの仕様、こげ茶色で光沢有り又は光沢無しの仕様としているが、その仕上げの仕様は特に限定するものではない。
なお、前記衝立本体１１は、木製の他、金属製等々の各材から形成しても良いことは勿論である。
【００２４】
前記枠体４について、図４を参照して説明する。
この枠体４は、一定の厚さを有し中央部に四角形状の開口１７を有する四角形状の表面枠１２Ａと、一定の厚さを有し中央部に四角形状の開口１７を有する四角形状の裏面枠１２Ｂと、表面枠１２Ａの上片内側と、裏面枠１２Ｂの上片内側との間を一体に連結する細長直方体状の上部連結体１３と、表面枠１２Ａの下片内側と、裏面枠１２Ｂの下片内側との間を一体に連結する細長直方体状の下部連結体１４と、を具備している。
そして、表面枠１２Ａの下片、下部連結体１４、裏面枠１２Ｂの下片により下枠部５を構成し、表面枠１２Ａの上片、上部連結体１３、裏面枠１２Ｂの上片により上枠部７を構成し、更に、表面枠１２Ａの一方の側片、裏面枠１２Ｂの一方の側片により側枠部６Ａを構成し、表面枠１２Ａの他方の側片、裏面枠１２Ｂの他方の側片により側枠部６Ｂを構成している。
【００２５】
すなわち、前記枠体４の側枠部６Ａの端部は開口しており、また、他方前記側枠部６Ｂの端部側は図示していないが、閉塞体により閉塞するように構成している。
【００２６】
前記枠体４における前記上部連結体１３と、下部連結体１４とにより、一定の間隔をもって平行配置に固定支持される表面枠１２Ａの内面側、裏面枠１２Ｂの内面側に、各々透明合成樹脂板等からなる一対の透明板部９ａ、９ｂを表面枠１２Ａ、裏面枠１２Ｂに添着する態様で配置し、これら一対の透明板部９ａ、９ｂが画する空間領域に装飾装着体２０用の装飾装着体収容領域１０を形成するように構成している。
【００２７】
前記透明板部９ａの上端部は、前記上部連結体１３の下面隅部に接合し、前記透明板部９ａの下端部は前記下部連結体１４の上面隅部に接合している。
【００２８】
同様に、透明板部９ｂの上端部は、前記上部連結体１３の下面隅部に接合し、前記透明板部９ｂの下端部は前記下部連結体１４の上面隅部に接合している。
【００２９】
更に、前記上部連結体１３の下面、下部連結体１４の上面には、これらの長さ方向に前記装飾装着体２０の挿入、引き出し用の一定長さの凹溝１５、１５を上下対応配置に設けている。
【００３０】
なお、前記装飾装着体２０の挿入、引き出し用の凹溝１５、１５を設けない構成とすることも勿論可能である。
【００３１】
前記一対の側枠部６Ａ、６Ｂのうち、例えば図１において左側の側枠部６Ａの端面部には、図５、図６に示すように、前記側枠部６Ａにより開閉可能に支持され、前記装飾装着体収容領域１０の一端を開口又は閉塞する開閉蓋体６Ｃと、この開閉蓋体６Ｃを前記側枠部６Ａに係止し又は係止解除を行う開閉蓋体開閉機構部３１を設けている。
【００３２】
前記側枠部６Ａと開閉蓋体６Ｃとの開閉可能な連結態様は、例えば蝶番等の開閉連結具１６を用いているが、これに限定するものではない。
【００３３】
前記開閉蓋体開閉機構部３１の一例について、図５、図６を参照して説明する。
【００３４】
前記開閉蓋体開閉機構部３１は、開閉蓋体６Ｃ内に設けた上下方向で上端がこの開閉蓋体６Ｃの上面に開口した有底の穴部３２と、開閉蓋体６Ｃの外面に設けた前記穴部３２に連通する縦長の操作窓穴部３３と、前記穴部３２に対し、前記開閉蓋体６Ｃの上面の開口から上方に突出し、かつ、没入可能に嵌装した操作杆３４と、前記穴部３２の底部に配置され、前記操作杆３４を上方に付勢する付勢バネ３５と、前記操作窓穴部３３内に上下動可能に配置され、かつ、前記操作杆３４に連結されて操作杆３４の上下動操作を行う操作釦３６と、前記上台８の下面における前記穴部３２に対応する位置に穿設した受穴３７と、を具備している。
【００３５】
そして、開閉蓋体６Ｃの閉状態では、図５に示すように、付勢バネ３５の付勢力により前記操作杆３４の上端を穴部３２の開口から上方に突出させ、前記受穴３７内に嵌合することにより、開閉蓋体６Ｃの内面が前記側枠部６Ａの端面に密着する状態でこの開閉蓋体６Ｃを係止するように構成している。
【００３６】
また、操作者が操作釦３６を下方に下げる操作を行い、付勢バネ３５の付勢力に抗して前記操作杆３４を下降させ、操作杆３４の上端を前記上台８の受穴３７から離脱させて係止状態を解除し、更に開閉蓋体６Ｃを図６に示すように開くことで、前記側枠部６Ａの端部を開口して、前記装飾装着体２０を装飾装着体収容領域１０から側方に引き出し可能とするように構成している。
【００３７】
なお、前記一対の側枠部６Ａ、６Ｂの双方に、開閉蓋体６Ｃと、開閉蓋体開閉機構部３１とを設ける構成とすることも勿論可能である。
【００３８】
図７は、前記装飾装着体２０の基材２１の表面、裏面に設けた装飾部２２ａ、２２ｂを示すものである。
【００３９】
前記装飾部２２ａ、２２ｂとしては、絵画、彫刻、写真、金色部、銀色部等から任意に選定することができるが、図７に示す例では、表面の装飾部２２ａとして、例えば春を表す絵画を、裏面の装飾部２２ｂとして、例えば秋を表す絵画を表見している。
【００４０】
以上説明した本実施例１に係る衝立１によれば、以下の作用効果を発揮する。
【００４１】
本実施例１の衝立１によれば、衝立１の表裏両面から装飾部を視認することができ、装飾表現態様の多様化が図ることができるとともに、一般住宅、飲食店、旅館等の建物入口部分や玄関先等に設置した場合に、重厚感、高級感をも現出することができる。
【００４２】
更に詳述すると、前記衝立１を例えば、一般住宅、飲食店、旅館等の建物入口部分や玄関先等に設置した場合に、衝立１の表面側からは、図１に示すように、前記衝立１における装飾装着体収容領域１０に収容した装飾装着体２０の表面に表している装飾部２２ａを透明板部９ａを透視して視認し、鑑賞することができ、これにより、外から訪れた外来者、来客等に対して従来と同様な審美感、安らぎを与えることができる。
【００４３】
また、前記衝立１の裏面側からは、前記装飾装着体収容領域１０に収容した装飾装着体２０の裏面に表している装飾部２２ｂを透明板部９ｂを透視して視認することができるので、建物内に居る者は衝立１の裏面側の装飾部２２ｂを鑑賞することができる。
【００４４】
従って、本実施例１に係る衝立１によれば、従来の一般的な衝立と比べ、両面視認可能という装飾表現態様の多様化を図ることができるという新規、斬新な効果を発揮させることができる。
【００４５】
更にまた、本実施例１に係る衝立１によれば、側枠部６Ａの端面部に、前記装飾装着体収容領域１０の一端を開口又は閉塞する開閉蓋体６Ｃと、この開閉蓋体６Ｃを前記側枠部６Ａに係止し又は係止解除を行う開閉蓋体開閉機構部３１を設けているので、装飾装着体２０の装飾装着体収容領域１０に対する出し入れや、装飾装着体２０を図示しないが別の装飾装着体と入れ替える作業も簡略容易に行うことができる。
【００４６】
加えて、前記装飾装着体収容領域１０に臨む前記上部連結体１３の下面、下部連結体１４の上面には、前記装飾装着体２０の挿入、引き出し用の凹溝１５、１５が設けられているので、上述した装飾装着体２０の装飾装着体収容領域１０に対する出し入れや、装飾装着体２０の入れ替えを行う場合にも、装飾装着体２０の移動を円滑に行うことができるとともに、装飾装着体２０を前記上部連結体１３、下部連結体１４により安定して起立支持することができる。
【００４７】
本実施例１に係る衝立１によれば、前記装飾装着体２０の装飾部２２ａ、２２ｂとして、絵画、彫刻、写真、全面が金色、全面が銀色等の中から選定するようにしているので、前記装飾装着体２０として異なる装飾内容の装飾部２２ａ、２２ｂを表したものを複数枚用意しておくことにより、例えば、四季（春夏秋冬）の変化に応じて、入り替え使用することもでき、この点からも装飾表現態様の多様化を図ることができるという新規、斬新な効果を発揮させることができる。
【００４８】
本実施例１によれば、前記衝立本体１１の例えば木製の部分における外部に表出する部分は、例えば高品質の塗装等により黒色で光沢有り又は光沢無しの仕様、こげ茶色で光沢有り又は光沢無しの仕様としているので、観者に重厚感、高級感を与えることができる衝立１を実現し提供することができる。
【００４９】
（実施例２）
次に、図８乃至図１５を参照して、本考案の実施例２に係る衝立１Ａについて説明する。
【００５０】
なお、本実施例２に係る衝立１Ａにおいて、実施例１に係る衝立１の場合と同一の要素には同一の符号を付し、その詳細説明は省略する。
【００５１】
本実施例２に係る衝立１Ａは、基本的構成は実施例１に係る衝立１の場合と略同様であるが、衝立本体１１Ａ内に、前記本実施例１の装飾装着体２０を２以上複数枚、例えば図示例では２枚並列に着脱自在に装着、収容したこと、すなわち、衝立本体内に、単一枚の両面又は片面に例えば日本画等の絵画或いは写真やその他諸種の装飾を施した２以上複数枚の装飾装着体２０Ａを、着脱自在に装着、収容できるように構成し、衝立１Ａの表裏両面から装飾部を視認することができるようにしたとともに、衝立１Ａ内に装着、収容されている２以上複数枚の装飾装着体２０Ａの装飾面を適宜入れ替えることで、装飾表現態様の多様化を広範に図ることができるようにした新規、斬新な衝立１Ａとしたことが特徴である。
【００５２】
本実施例２に係る衝立１Ａは、図８乃至図１１に示すように、一対の支脚部２、２により水平に支持した横長直方体状の基台３と、下枠部５、一対の側枠部６Ａ、６Ｂ及び上枠部７により全体として横長直方体状で、かつ、表面又は裏面から見て四角形状（全体としては中空直方体状）を呈する中空枠形態で、かつ、表側中央部、裏側中央部に四角形状の開口１７を有する状態に枠組みされ、前記基台３に一体的に取り付けられるとともに垂直配置に起立支持された実施例１の枠体４よりも厚さを大とした枠体４Ａと、この枠体４Ａの上部に一体的に配置した横長直方体状の上台８と、前記枠体４Ａの表面、裏面間の領域に装飾装着体収容領域１０Ａを形成するように並列に装着した一対の透明板部９ａ、９ｂと、を具備する木製等からなる衝立本体１１Ａを具備している。
【００５３】
また、本実施例２に係る衝立１Ａは、前記衝立本体１１Ａにおける装飾装着体収容領域１０Ａに並列配置されるとともに、例えば四角板状の基材２１の表裏両面に装飾部２２ａ、２２ｂを具備する第１の装飾装着体２０Ａと、四角板状の基材２１の表裏両面に装飾部２２ｃ、２２ｄを具備する第２の装飾装着体２０Ｂとを有し、前記枠体４Ａの表面外側、裏面外側から前記各透明板部９ａ、９ｂを透視して前記各装飾部２２ａ、２２ｂ又は装飾部２２ｃ、２２ｄを各々視認可能な構成としている。
なお、本考案においては、装飾装着体２０Ａの枚数は、２以上の複数枚であれば、図示する実施例に限定するものはない。
【００５４】
前記衝立本体１１Ａの例えば木製の部分における外部に表出する部分は、例えば高品質の塗装等により黒色で光沢有り又は光沢無しの仕様、こげ茶色で光沢有り又は光沢無しの仕様としているが、その仕上げの仕様は特に限定するものではない。
【００５５】
前記枠体４Ａについて、図１１を参照して説明する。
【００５６】
この枠体４Ａは、一定の厚さを有し中央部に四角形状の開口１７を有する四角形状の表面枠１２Ａと、一定の厚さを有し中央部に四角形状の開口１７を有する四角形状の裏面枠１２Ｂと、表面枠１２Ａの上片内側と、裏面枠１２Ｂの上片内側との間を一体に連結する細長直方体状の上部連結体１３と、表面枠１２Ａの下片内側と、裏面枠１２Ｂの下片内側との間を一体に連結する細長直方体状の下部連結体１４と、を具備している。
前記上部連結体１３、下部連結体１４の厚さＤ２は、実施例１の場合の厚さＤ１よりも大きくしている。
【００５７】
そして、表面枠１２Ａの下片、下部連結体１４、裏面枠１２Ｂの下片により下枠部５を構成し、表面枠１２Ａの上片、上部連結体１３、裏面枠１２Ｂの上片により上枠部７を構成し、更に、表面枠１２Ａの一方の側片、裏面枠１２Ｂの一方の側片により側枠部６Ａを構成し、表面枠１２Ａの方方の側片、裏面枠１２Ｂの他方の側片により側枠部６Ｂを構成している。
【００５８】
すなわち、実施例１の場合と同様に、前記枠体４Ａの側枠部６Ａの端部は開口しており、また、他方前記側枠部６Ｂの端部側は図示していないが、閉塞体により閉塞するように構成している。
【００５９】
前記枠体４Ａにおける前記上部連結体１３と、下部連結体１４とにより、一定の間隔をもって平行配置に固定支持される表面枠１２Ａの内面側、裏面枠１２Ｂの内面側に、各々透明合成樹脂板等からなる一対の透明板部９ａ、９ｂを表面枠１２Ａ、裏面枠１２Ｂに添着する態様で配置し、これら一対の透明板部９ａ、９ｂが画する空間領域に前記第１の装飾装着体２０Ａ、第２の装飾装着体２０Ｂ用の実施例１の場合よりも奥行き方向の寸法が大きい装飾装着体収容領域１０Ａを形成するように構成している。
【００６０】
前記透明板部９ａ、透明板部９ｂの前記枠体４Ａ内の配置は実施例１の場合と同様である。
【００６１】
更に、前記上部連結体１３の下面、下部連結体１４の上面には、これらの長さ方向に前記第１の装飾装着体２０Ａ、第２の装飾装着体２０Ｂの挿入、引き出し用の一定長さで上側、下側２条ずつの凹溝１５、１５を上下対応配置に、かつ、各々一定間隔を持った並列配置に設けている。
【００６２】
前記凹溝１５は、上側、下側２条ずつとする他、３条ずつ、４条ずつとすることも可能である。また、前記凹溝１５を設けない構成とすることも勿論可能である。
【００６３】
前記一対の側枠部６Ａ、６Ｂのうち、左側の側枠部６Ａの端面部には、前記装飾装着体収容領域１０Ａの一端を開口又は閉塞する実施例１の場合と同様な開閉蓋体６Ｃと、この開閉蓋体６Ｃを前記側枠部６Ａに係止し又は係止解除を行う実施例１の場合と同様な開閉蓋体開閉機構部３１を設けている。そして、前記開閉蓋体６Ｃの奥行寸法を、前記枠体４Ａの奥行寸法に合致させている。
【００６４】
図１２は、本実施例２に係る衝立１Ａにおける表面、裏面における装飾表現態様の第一例を示すものであり、表面側に図１４に示す第１の装飾装着体２０Ａの表面の装飾部２２ａ（春の季節を表す絵画）を、裏面側に第２の装飾装着体２０Ｂの裏面（金色部：濃灰色で示す）を表している。
【００６５】
図１３は、本実施例２に係る衝立１Ａにおける表面、裏面における装飾表現態様の第二例を示すものであり、表面側に図１５に示す第２の装飾装着体２０Ｂの表面の装飾部２２ｃ（秋の季節を表す絵画）を、裏面側に第１の装飾装着体２０Ａの裏面（銀色部：薄灰色で示す）を表している。
【００６６】
すなわち、図１２、図１３は、衝立１Ａにおいて、前記第１の装飾装着体２０Ａ、第２の装飾装着体２０Ｂを前後に入れ替えた状態を各々示している。
【００６７】
図１４は、第１の装飾装着体２０Ａの表面、裏面に設けた装飾部２２ａ、２２ｂを示すものである。
【００６８】
前記装飾部２２ａ、２２ｂとしては、絵画、彫刻、写真、金色部、銀色部等から任意に選定することができ、図１４においては、前記第１の装飾装着体２０Ａの表面の装飾部２２ａに春の季節を表す絵画を、裏面の装飾部２２ｂ全体に銀色部を表示した例を示している。
【００６９】
図１５は、第２の装飾装着体２０Ｂの表面、裏面に設けた装飾部２２ｃ、２２ｄを示すものである。
【００７０】
前記装飾部２２ｃ、２２ｄとしては、上述した場合と同様、絵画、彫刻、写真、金色部、銀色部等から任意に選定することができるが、図１５においては、第２の装飾装着体２０Ｂの表面の装飾部２２ｃに秋の季節を表す絵画を、裏面の装飾部２２ｄ全体に金色部を表示した例を示している。
【００７１】
以上説明した本実施例２に係る衝立１Ａによれば、以下の作用効果を発揮する。
【００７２】
この衝立１Ａによれば、衝立１Ａの本体内に、単一枚の両面又は片面に例えば日本画等の絵画或いは写真やその他諸種の装飾を施した２以上複数枚の各装飾装着体２０Ａを、着脱自在に装着、収容できるように構成し、衝立１Ａの表裏両面から装飾部を視認することができるようにしたとともに、衝立１Ａの本体内に装着、収容されている２以上複数枚の各装飾装着体２０Ａの装飾面を適宜入れ替えることで、装飾表現態様の多様化を広範に図ることができるようにした新規、斬新な衝立１Ａを現出することができ、しかも、一般住宅、飲食店、旅館等の建物入口部分や玄関先等に設置した場合に、重厚感、高級感をも現出することができる。
【００７３】
詳述すると、例えば、第１例の衝立１Ａを、例えば春季において、一般住宅、飲食店や旅館等の建物入口部分や玄関先等に設置した場合に、衝立１Ａの表面側からは、図８、図１２に示すように、前記衝立１Ａにおける装飾装着体収容領域１０Ａに収容した第１の装飾装着体２０Ａの表面に表している春の風情の装飾部２２ａを透明板部９ａを透視して視認し、鑑賞することができ、これにより、外から訪れた外来者、来客等に対して従来と同様に春季に対応した審美感、安らぎを与えることができる。
【００７４】
また、前記衝立１Ａの裏面側からは、前記装飾装着体収容領域１０Ａに収容した第１の装飾装着体２０Ａの裏面に表している装飾部２２ｂ（金色部）を透明板部９ｂを透視して視認することができるので、建物内に居る者は衝立１Ａの裏面側の装飾部２２ｂを鑑賞し楽しむことができる。
【００７５】
従って、本実施例２に係る衝立１Ａによれば、従来の一般的な衝立と比べ、両面視認可能という装飾表現態様の多様化を図れ、かつ、春季に応じた風情を楽しめるという新規、斬新な効果を発揮させることができる。
【００７６】
同様に、第２例の衝立１Ａを、例えば秋季において、一般住宅、飲食店、旅館等の建物入口部分や玄関先等に設置した場合に、衝立１Ａの表面側からは、図１３に示すように、前記衝立１Ａにおける装飾装着体収容領域１０Ａに収容した第２の装飾装着体２０Ｂの表面に表している秋の風情の装飾部２２ｃを透明板部９ａを透視して視認し、鑑賞することができ、これにより、外から訪れた外来者、来客等に対して従来と同様に秋季に対応した審美感、安らぎを与えることができる。
【００７７】
また、前記衝立１Ａの裏面側からは、前記装飾装着体収容領域１０Ａに収容した第２の装飾装着体２０Ｂの裏面に表している装飾部２２ｃ（銀色部）を透明板部９ｂを透視して視認することができるので、建物内に居る者は衝立１Ａの裏面側の装飾部２２ｃを鑑賞し楽しむことができる。
【００７８】
従って、本実施例２に係る衝立１Ａによれば、従来の一般的な衝立と比べて、両面視認可能という装飾表現態様の多様化を図れ、かつ、秋期に応じた風情を楽しめるという新規、斬新な効果を発揮させることができる。
【００７９】
このように、本実施例２に係る衝立１Ａによれば、衝立１Ａ内に第１の装飾装着体２０Ａ、第２の装飾装着体２０Ｂを収容し、これらを適宜入れ替えることで装飾表現態様の多様化を広範に図ることが可能となる。
【００８０】
また、本実施例２に係る衝立１Ａによれば、側枠部６Ａの端面部に、前記装飾装着体収容領域１０Ａの一端を開口又は閉塞する開閉蓋体６Ｃと、この開閉蓋体６Ｃを前記側枠部６Ａに係止し又は係止解除を行う開閉蓋体開閉機構部３１を設けているので、第１の装飾装着体２０Ａ、第２の装飾装着体２０Ｂの装飾装着体収容領域１０Ａに対する出し入れや、前後交換の作業も簡略容易に行うことができる。
【００８１】
加えて、前記装飾装着体収容領域１０Ａに臨む前記上部連結体１３の下面、下部連結体１４の上面には、第１の装飾装着体２０Ａ、第２の装飾装着体２０Ｂ用の上側２条、下側２条の挿入、引き出し用の凹溝１５、１５が設けられているので、上述した第１の装飾装着体２０Ａ、第２の装飾装着体２０Ｂの装飾装着体収容領域１０Ａに対する出し入れや、前後交換を行う場合にも、これらの移動を円滑に行うことができるとともに、第１の装飾装着体２０Ａ、第２の装飾装着体２０Ｂを前記上部連結体１３、下部連結体１４により各々安定して起立支持することができる。
【００８２】
本実施例２に係る衝立１Ａによれば、第１の装飾装着体２０Ａ、第２の装飾装着体２０Ｂの装飾部２２ａ、２２ｂ及び第２の装飾装着体２０Ｂの装飾部２２ｃ、２２ｄとして、絵画、彫刻、写真、金色部、銀色部等の中から選定するようにしているので、装飾部２２ａ、２２ｂ及び装飾部２２ｃ、２２ｄの表現内容を適宜異ならせた第１の装飾装着体２０Ａ、第２の装飾装着体２０Ｂを用意しておくことにより、衝立本体内に装着、収容されている２以上複数枚の装飾装着体の装飾面を適宜入れ替えることで、四季（春夏秋冬）の変化に応じて、又は設置個所の雰囲気に応じて装飾表現態様の多様化を広範に図ることができるという新規、斬新な効果を発揮させることができる。
【００８３】
本実施例２によれば、前記衝立本体１１Ａの例えば木製の部分における外部に表出する部分は、例えば高品質の塗装等により黒色で光沢有り又は光沢無しの仕様、こげ茶色で光沢有り又は光沢無しの仕様としているので、観者に重厚感、高級感を与えることもできる衝立１Ａを実現し提供することができる。
【産業上の利用可能性】
【００８４】
本考案に係る新規、斬新な衝立は、上述した場合の他、旅館等の大広間における飲食時の顧客席仕切り用としたり、和風飲食店の和室等の顧客席仕切り用としたり等、広範な使用環境に好適に対応することができることは勿論である。
【符号の説明】
【００８５】
１    衝立
１Ａ  衝立
２    支脚部
３    基台
４    枠体
４Ａ  枠体
５    下枠部
６Ａ  側枠部
６Ｂ  側枠部
６Ｃ  開閉蓋体
７    上枠部
８    上台
９ａ  透明板部
９ｂ  透明板部
１０    装飾装着体収容領域
１０Ａ  装飾装着体収容領域
１１    衝立本体
１１Ａ  衝立本体
１２Ａ  表面枠
１２Ｂ  裏面枠
１３    上部連結体
１４    下部連結体
１５    凹溝
１６    開閉連結具
１７    開口
２０    装飾装着体
２０Ａ  第１の装飾装着体
２０Ｂ  第２の装飾装着体
２１    基材
２２ａ  装飾部
２２ｂ  装飾部
２２ｃ  装飾部
２２ｄ  装飾部
３１    開閉蓋体開閉機構部
３２    穴部
３３    操作窓穴部
３４    操作杆
３５    付勢バネ
３６    操作釦
３７    受穴
Ｄ１    厚さ
Ｄ２    厚さ
【図１】
0003188659.tif 000003
【図２】
0003188659.tif 000004
【図３】
0003188659.tif 000005
【図４】
0003188659.tif 000006
【図５】
0003188659.tif 000007
【図６】
0003188659.tif 000008
【図７】
0003188659.tif 000009
【図８】
0003188659.tif 000010
【図９】
0003188659.tif 000011
【図１０】
0003188659.tif 000012
【図１１】
0003188659.tif 000013
【図１２】
0003188659.tif 000014
【図１３】
0003188659.tif 000015
【図１４】
0003188659.tif 000016
【図１５】
0003188659.tif 000017